(57)【要約】【課題】内部電源を用いずに時計機能を実現することができるプロジェクタを提供すること。【解決手段】入力される画像データに応じた画像を形成及び投射するプロジェクタ３であって、当該プロジェクタ３に接続され、かつ、現在時刻に係る時刻情報を有する外部機器（ＰＣ）２から時刻情報を取得する時刻取得手段３３と、取得された時刻情報に基づいて、現在時刻を設定する時刻設定手段３４と、設定された現在時刻からの計時を行う計時手段３５とを備える。これによれば、外部機器から取得された時刻情報に基づいて現在時刻が設定され、当該現在時刻からの計時が行われるので、現在時刻を保持するための内部電源を必要とせずに、プロジェクタ３にて、現在時刻を保持することができる。【選択図】図１
2009213015.tif 000002
【特許請求の範囲】
【請求項１】
入力される画像データに応じた画像を形成及び投射するプロジェクタであって、
当該プロジェクタに接続され、かつ、現在時刻に係る時刻情報を有する外部機器から前記時刻情報を取得する時刻取得手段と、
取得された前記時刻情報に基づいて、現在時刻を設定する時刻設定手段と、
設定された現在時刻からの計時を行う計時手段とを備えることを特徴とするプロジェクタ。
【請求項２】
請求項１に記載のプロジェクタにおいて、
前記外部機器に接続するためのＵＳＢ端子を備え、
前記外部機器とは前記ＵＳＢ端子を介して接続されることを特徴とするプロジェクタ。
【請求項３】
請求項１又は請求項２に記載のプロジェクタにおいて、
当該プロジェクタは、前記外部機器として、前記画像データを送信する画像供給装置と接続され、
前記時刻取得手段は、前記画像供給装置から、前記時刻情報を取得することを特徴とするプロジェクタ。
【請求項４】
請求項３に記載のプロジェクタにおいて、
前記時刻取得手段は、前記外部機器との接続開始時に、前記時刻情報を取得することを特徴とするプロジェクタ。
【発明の詳細な説明】
【技術分野】
【０００１】
本発明は、入力される画像データに応じた画像を形成及び投射するプロジェクタに関する。
【背景技術】
【０００２】
従来、光源装置と、当該光源装置から射出された光束を画像データに応じて変調する光変調装置と、変調された光束を投射面上に拡大投射する投射光束装置とを備えたプロジェクタが知られている。このようなプロジェクタは、ＰＣ（Personal Computer）や、ディスク型記録媒体を再生可能な再生装置等の画像供給装置に接続され、当該画像供給装置から入力される画像データに応じた画像をスクリーン等の投射面上に表示する。
【０００３】
このようなプロジェクタと画像供給装置（ＰＣ）とをＵＳＢケーブルを介して接続し、画像供給装置から送信された画像データに応じた画像を表示するプロジェクタシステムが知られている（例えば、特許文献１参照）。このようなプロジェクタシステムは、比較的大きな画像を簡易に表示することができるので、企業等でのプレゼンテーションや、家庭での映画鑑賞等に用いられることが多い。
【０００４】
【特許文献１】特開２００４−６９９９６号公報
【発明の開示】
【発明が解決しようとする課題】
【０００５】
ここで、プロジェクタは、使用時に外部電源（コンセント等）と接続されて電源供給を受けて駆動する一方で、使用しないときには外部電源から外されて電源供給を受けないため、時計機能を備えないものが多いが、プロジェクタにて表示される画像内に、現在時刻を表示させたいとの要望もある。このような要望に対し、プロジェクタに電池等の内部電源を設け、当該内部電源から供給される電力を用いて、時計機能を実現する構成が考えられる。しかしながら、このような構成では、プロジェクタの部品点数が増加するという問題だけでなく、当該内部電源の安全性に係る検査項目が増加するという問題がある。このため、このような内部電源を利用せずに、使用時に時計機能を実現するプロジェクタが要望されてきた。
【０００６】
本発明の目的は、内部電源を用いずに時計機能を実現することができるプロジェクタを提供することである。
【課題を解決するための手段】
【０００７】
前記した目的を達成するために、本発明のプロジェクタは、入力される画像データに応じた画像を形成及び投射するプロジェクタであって、当該プロジェクタに接続され、かつ、現在時刻に係る時刻情報を有する外部機器から前記時刻情報を取得する時刻取得手段と、取得された前記時刻情報に基づいて、現在時刻を設定する時刻設定手段と、設定された現在時刻からの計時を行う計時手段とを備えることを特徴とする。
【０００８】
本発明によれば、時刻取得手段により取得された時刻情報に基づいて、時刻設定手段が現在時刻を設定し、計時手段が、当該現在時刻からの計時を行うので、プロジェクタの使用時に、当該プロジェクタにて現在時刻を保持することができる。
また、このような現在時刻の計時を、プロジェクタの使用時、すなわち、当該プロジェクタが外部電源と接続されている時に行うことにより、現在時刻を保持するための電力を供給する内部電源をプロジェクタ内に設ける必要がない。
更に、このような時刻取得手段、時刻設定手段及び計時手段の各機能は、ＣＰＵ（Central Processing Unit）等により実行されるプログラムにより実現することが可能であるので、このような場合、プロジェクタの部品点数の増加を確実に防ぐことができる。
従って、プロジェクタの部品点数及び出荷時等の検査項目が増加することなく、プロジェクタの使用時に、当該プロジェクタが時刻情報を保持することができる。
【０００９】
また、このようにして、プロジェクタが現在時刻を保持することができるので、使用時の時刻に応じた使用制限及び動作設定を行うことができる。
例えば、特定の時間帯ではプロジェクタを使用できないような使用制限を設定することにより、プロジェクタが盗難にあった場合でも、当該特定の時間帯ではプロジェクタを使用することができなくなるので、プロジェクタの盗難の抑止を図ることができる。
また、例えば、環境光が強い昼間にプロジェクタを使用する場合には、画像の輝度を高めることにより、使用者が表示設定を変更しなくても、当該画像を見やすくすることができる。一方、環境光が弱い夜間にプロジェクタを使用する場合には、画像の輝度を低下させることで、画像の見易さを維持しつつ消費電力の低減を図ることができる。
【００１０】
本発明では、前記外部機器に接続するためのＵＳＢ端子を備え、前記外部機器とは前記ＵＳＢ端子を介して接続されることが好ましい。
ここで、ＵＳＢ端子は、ＵＳＢケーブルが接続可能に構成され、かつ、当該ＵＳＢケーブルを介して外部機器と有線で接続するための端子でもよく、また、当該外部機器とワイヤレスで接続するための端子でもよい。
本発明によれば、プロジェクタと外部機器とはＵＳＢ接続で接続されるので、これらの物理的な接続を簡易に行うことができる。また、このようなＵＳＢ接続では、プロジェクタ及び外部機器は互いを一対一で認識するので、互いにＬＡＮ（Local Area Network）等のネットワーク接続により接続され、かつ、それぞれに割り振られたＩＰ（Internet Protocol）アドレス等に基づいて互いを認識する場合に比べ、内部的な接続の確立を容易に行うことができる。
【００１１】
本発明では、当該プロジェクタは、前記外部機器として、前記画像データを送信する画像供給装置と接続され、前記時刻取得手段は、前記画像供給装置から、前記時刻情報を取得することが好ましい。
このような画像供給装置としては、ＰＣ（Personal Computer）や、内部の時刻情報に基づいてタイマ録画を実行可能なビデオ機器及びＤＶＤ（Digital Versatile Disk）／ＨＤＤ（Hard Disk Drive）レコーダ等を例示することができる。
本発明によれば、プロジェクタに接続される外部機器が、当該プロジェクタに画像データを送信する画像供給装置であるので、プロジェクタが時刻情報を取得するために、当該プロジェクタを画像供給装置とは異なる外部機器に接続する必要がない。従って、画像供給装置から画像データ及び時刻情報をそれぞれ取得することができるので、時刻情報の取得を簡易に行うことができる。
【００１２】
本発明では、前記時刻取得手段は、前記外部機器との接続開始時に、前記時刻情報を取得することが好ましい。
ここで、プロジェクタが外部機器としての画像供給装置に接続された際には、画像供給装置からの画像データの入力に先立って、当該プロジェクタと画像供給装置との間での通信接続をそれぞれ確立する必要がある。この通信接続の確立の際に、プロジェクタが画像供給装置から時刻情報を取得することにより、入力される画像データに基づく画像の表示時に現在時刻の計時を確実に行うことができる。従って、画像供給装置にプロジェクタを接続することで、現在時刻を取得することができ、これにより、現在時刻に応じた画像の表示設定を確実に行うことができる。
【発明を実施するための最良の形態】
【００１３】
以下、本発明の一実施形態を図面に基づいて説明する。
〔表示システムの構成〕
図１は、本実施形態に係る表示システム１の構成を示すブロック図である。
本実施形態に係る表示システム１は、画像供給装置としてのＰＣ（Personal Computer）２と、画像表示装置としてのプロジェクタ３とを備え、当該ＰＣ２から送信された画像データに基づく画像を、プロジェクタ３がスクリーン等の投射面上に拡大投射する。これらＰＣ２とプロジェクタ３とは、それぞれに設けられたＵＳＢ（Universal Serial Bus）端子２１，３１にＵＳＢケーブルＣＡを接続することで、互いにＵＳＢ接続されている。
【００１４】
〔ＰＣの構成〕
ＰＣ２は、一般的なＰＣで構成され、所定のアプリケーション等を起動して、所定の処理を実行する。また、ＰＣ２は、当該ＰＣ２にて生成された画像及び音声のうちの少なくともいずれかをプロジェクタ３にて表示／出力する場合には、画像／音声送信プログラムを起動して、プロジェクタ３に画像データ及び音声データをシリアル送信する。更に、ＰＣ２は、プロジェクタ３との接続確立時に、当該プロジェクタ３からの要求に応じて、内部で計時している現在時刻に係る時刻情報を送信する。このようなＰＣ２は、Ａコネクタで構成されたＵＳＢ端子２１の他に、記憶手段２２、電力供給手段２３及び制御手段２４を備えている。
【００１５】
記憶手段２２は、ＨＤＤ（Hard Disk Drive）で構成され、当該ＰＣ２での処理に必要な各種プログラム（前述のアプリケーションや画像／音声送信プログラムに係るプログラムを含む）及びデータを記憶している。
電力供給手段２３は、電池により構成された内部電源であり、当該ＰＣ２が外部電源（コンセント）に接続されていない場合に、制御手段２４の後述する時計部２４２による現在時刻の計時に係る電力を供給する。
【００１６】
制御手段２４は、ＣＰＵ（Central Processing Unit）等の回路素子や、メモリ等が実装された回路基板として構成され、ＰＣ２全体を制御する。例えば、制御手段２４は、生成した画像データ、音声データ及び時刻情報を、通信接続が確立したプロジェクタ３に、ＵＳＢ端子２１を介して送信する。このような制御手段２４は、接続確立部２４１、時計部２４２、時刻情報送信部２４３、画像生成部２４４、音声生成部２４５及びデータ送信部２４６を備えている。
【００１７】
接続確立部２４１は、ＵＳＢ端子２１を介して接続された外部機器（本実施形態では、プロジェクタ３）との通信接続を確立する。具体的に、接続確立部２４１は、ＵＳＢ端子２１を介して接続された外部機器から当該外部機器の種別、製造元情報及びベンダーＩＤ等の機種情報を取得し、当該外部機器に応じたドライバを前述の記憶手段からロードして、当該外部機器を利用可能な状態に設定する。また、この際、接続確立部２４１は、接続された外部機器との通信を行い、当該外部機器に送信するデータの形態等を設定する。
【００１８】
時計部２４２は、現在時刻を計時する。この時計部２４２は、ＰＣ２が外部電源と接続されている場合には、当該外部電源から供給される電力を、現在時刻の計時のための電力として利用し、また、ＰＣ２が外部電源と接続されていない場合には、電力供給手段２３から供給される電力を、現在時刻の計時のための電力として利用する。
時刻情報送信部２４３は、接続確立部２４１による外部機器との通信接続の確立時に、当該外部機器から送信された要求信号に応じて、時計部２４２により計時されている現在時刻を示す時刻情報を、当該外部機器に送信する。
【００１９】
画像生成部２４４及び音声生成部２４５は、プロジェクタ３に画像データ及び音声データを送信するための画像／音声送信プログラムが実行された際に動作し、当該プロジェクタに表示させる画像（例えば、ＰＣ２の動作状態を示す画像等）に係る画像データ、及び、プロジェクタ３に出力させる音声に係る音声データを、それぞれ生成する。
データ送信部２４６は、生成された画像データ及び音声データに基づいて、ＵＳＢ接続に則したパケットを生成し、当該パケットをプロジェクタ３に送信する。
【００２０】
〔プロジェクタの構成〕
プロジェクタ３は、Ｂコネクタで構成されたＵＳＢ端子３１を介してＰＣ２とＵＳＢ接続され、当該ＰＣ２から入力される画像データに応じた画像を形成及び投射することで、投射面上に当該画像を表示するとともに、入力される音声データに応じた音声を出力する。また、プロジェクタ３は、ＰＣ２と接続された際に、時刻取得プログラムを実行して、ＰＣ２から現在時刻を示す時刻情報の取得、並びに、現在時刻の設定及び計時を行うとともに、当該現在時刻に応じた動作制御を行う。
このようなプロジェクタ３は、ＵＳＢ端子３１の他に、図１に示すように、接続確立手段３２、時刻取得手段３３、時刻設定手段３４、計時手段３５、画像処理手段３６、画像形成手段３７、音声処理手段３８、音声出力手段３９、動作制御手段４０及び記憶手段４１を備えている。
【００２１】
このうち、記憶手段４１は、プロジェクタ３の動作に必要な各種プログラム（前述の時刻取得プログラムを含む）及びデータを記憶している。このうち、データとしては、現在時刻に応じたプロジェクタ３の駆動に係る駆動情報が挙げられ、当該駆動情報としては、例えば、画像形成手段３７の後述する光源装置３７１の初期状態の発光輝度や、音声出力手段３９の初期状態の音量等に係る情報が挙げられる。なお、初期状態とは、プロジェクタ３の電源がオンとなり、使用者により画像表示及び音声出力に係る設定が変更される前の状態を示す。
【００２２】
接続確立手段３２は、ＰＣ２とのＵＳＢ接続を確立する。具体的に、接続確立手段３２は、ＵＳＢ端子３１を介してＰＣ２から接続信号（バスパワーを含む）が入力されると、当該ＰＣ２に対して、プロジェクタ３の電子機器としての種別、製造元情報及びベンダーＩＤ等の機種情報を送信する等の接続確立処理を実行する。
【００２３】
時刻取得手段３３は、接続確立手段３２による外部機器（例えば、ＰＣ２）との接続確立に際して、当該外部機器から現在時刻に係る時刻情報を取得する。具体的に、時刻取得手段３３は、ＵＳＢ端子３１を介して、ＰＣ２に時刻情報の要求信号を送信し、当該ＰＣ２から送信された時刻情報を取得する。
時刻設定手段３４は、時刻取得手段３３により取得された時刻情報が示す現在時刻を計時手段３５により計時される時刻の起点となる起点時刻に設定する。
計時手段３５は、時刻設定手段３４により設定された起点時刻からの計時を行うことで、現在時刻を保持する。
これら時刻取得手段３３、時刻設定手段３４及び計時手段３５は、前述の時刻取得プログラムを実行することによって実現される。
【００２４】
画像処理手段３６は、接続が確立したＰＣ２から入力される画像データを処理して、当該画像データに基づく駆動信号を画像形成手段３７に出力して、当該画像形成手段３７に当該画像データに応じた画像を形成及び投射させる。具体的に、画像処理手段３６は、入力される画像データとしてのパケットから、ＰＣ２にて生成された画像データを復元し、復元された画像データに対して所定の補正処理を実行する。そして、画像処理手段３６は、補正処理が施された画像データをビデオメモリ（図示省略）上に展開し、当該画像データに基づく駆動信号を画像形成手段３７の後述する光変調装置３７２に出力する。
【００２５】
画像形成手段３７は、画像処理手段３６から入力する駆動信号に応じて駆動して、プロジェクタ３に入力した画像データに応じた画像を形成及び投射する。この画像形成手段３７は、光源装置３７１、光変調装置３７２及び投射光学装置３７３を備えている。なお、図示を省略したが、画像形成手段３７は、これらの構成の他に、光源装置３７１から射出された光束を赤（Ｒ）、緑（Ｇ）及び青（Ｂ）の各色光に分離する色分離光学装置、及び、各色光を合成するクロスダイクロイックプリズム等の色合成光学装置を備え、光変調装置は、各色光の光路上に配置されている。
【００２６】
光源装置３７１は、後述する動作制御手段４０の制御下で点灯する放電型の光源ランプと、当該光源ランプから出射された放射光を反射して所定位置に収束させるリフレクタとを備えている。なお、本実施形態では、光源ランプは、超高圧水銀ランプで構成したが、他の放電型の光源ランプを備える構成としてもよい。また、光源装置３７１は、光源ランプに代えて、ＬＥＤ（Light Emitting Diode）及びＬＤ（Laser Diode）等の固体光源、並びに、有機ＥＬ（Electroluminescence）素子を備える構成とすることも可能である。
【００２７】
光変調装置３７２は、一対の透明なガラス基板に電気光学物質である液晶が密閉封入された構成を有する液晶パネルと、当該液晶パネルを挟むように配置された一対の偏光板とを備えている。このうち、液晶パネルは、画像処理手段３６から入力される駆動信号に応じて、当該液晶の配向状態が制御され、入射光束の偏光方向を変調する。なお、前述のように、光変調装置３７２は、色合成光学装置で分離された赤（Ｒ）、緑（Ｇ）及び青（Ｂ）の各色光の光路上に配置され、当該各光変調装置により、各色光に係る画像光が形成される。そして、これら各画像光は、色合成光学装置により合成され、カラー画像に係る画像光が形成される。
投射光学装置３７３は、色合成光学装置により合成された画像光を拡大投射するものである。この投射光学装置３７３は、鏡筒と、当該鏡筒内部に収納される複数のレンズとを備えた組レンズとして構成されている。
【００２８】
音声処理手段３８は、ＰＣ２から入力される音声データを処理して、当該音声データに基づく音声を出力するための駆動信号を、音声出力手段３９に出力する。
音声出力手段３９は、詳しい図示を省略したが、スピーカ及びドライバを備えて構成されている。そして、当該ドライバが、音声処理手段３８から入力する駆動信号に応じて、スピーカを駆動させることにより、ＰＣ２から入力される音声データに応じた音声を出力する。
【００２９】
動作制御手段４０は、プロジェクタ３全体の動作を制御する。この動作制御手段４０は、例えば、図示しないキーの入力により、現在時刻を表示させる操作が使用者により行われた場合には、計時手段３５により計時されている現在時刻を画像処理手段３６に参照させ、当該画像処理手段３６により、現在時刻を含む画像に係る画像データを生成させる。そして、画像処理手段３６は、画像形成手段３７により、当該現在時刻を含む画像をＯＳＤ（On-Screen Display）等により表示させる。
【００３０】
また、動作制御手段４０は、計時手段３５による計時時間を参照し、現在時刻に応じたプロジェクタ３の駆動情報を記憶手段４１から取得して、当該駆動情報に応じたプロジェクタ３の動作制御を行う。
具体的に、現在時刻が深夜の時間帯（例えば、夜１時から朝５時まで）である場合には、動作制御手段４０は、使用者によるパスワード入力等の解除操作が行われるまで、プロジェクタ３による画像投射及び音声出力を行わないように、画像処理手段３６及び音声処理手段３８の動作を制限する。すなわち、この時間帯では、解除操作が行われない限り、プロジェクタ３の使用が制限される。
また、現在時刻が昼間の時間帯（例えば、朝７時から夜７時まで）である場合では、動作制御手段４０は、昼間用の駆動情報を取得して、当該駆動情報に応じて、当該時間帯での光源装置３７１の初期状態の発光輝度、及び、音声出力手段３９の初期状態の音量を設定する。
【００３１】
更に、現在時刻が夜間の時間帯（例えば、夜７時から朝７時まで）である場合（前述の深夜の時間帯である場合には、使用者による解除操作が行われた場合）では、動作制御手段４０は、夜間用の駆動情報を取得して、当該駆動情報に応じて、当該時間帯での光源装置３７１の初期状態の発光輝度及び音声出力手段３９の初期状態の音量を、昼間の使用時より低く設定する。
これにより、環境光が強く環境音が大きい昼間に、表示された画像及び出力された音声の視聴を行いやすくすることができる。また、環境光が弱く環境音が小さい夜間には、当該画像及び音声の視聴を妨げることなく、プロジェクタ３の省電力化を図ることができる。
【００３２】
〔表示システムの動作〕
以下、表示システム１での処理について説明する。
図２は、表示システム１を構成するＰＣ２及びプロジェクタ３での各処理を示すフローチャートである。
前述のように、ＰＣ２とプロジェクタ３とが互いにＵＳＢ端子２１，３１を介して接続された際には、プロジェクタ３は、ＰＣ２から時刻情報を取得して、当該時刻情報に応じた動作制御を行う。
具体的に、ＰＣ２では、図２に示すように、接続確立部２４１が、ＵＳＢ端子２１を介して、当該ＵＳＢ端子２１にＵＳＢケーブルＣＡを介して接続された外部機器（プロジェクタ３）に接続信号を送信する（ステップＳ１１）。
【００３３】
これに対し、ＰＣ２にとっての外部機器であるプロジェクタ３では、接続確立手段３２が、前述の機種情報をＰＣ２に送信するとともに、ＰＣ２と接続されたことを認識して、当該ＰＣ２との通信接続を確立する（ステップＳ２１）。そして、プロジェクタ３の時刻取得手段３３が、ＰＣ２に対して、現在時刻に係る時刻情報を要求する要求信号を送信する（ステップＳ２２）。
【００３４】
機種情報が入力したＰＣ２では、接続確立部２４１が、当該機種情報に基づいて、外部機器としてプロジェクタ３が接続されたことを認識し、当該プロジェクタ３に応じたドライバをロードするなどして、プロジェクタ３との通信接続を確立する（ステップＳ１２）。また、ＰＣ２の時刻情報送信部２４３が、プロジェクタ３から入力する要求信号に応じて、時計部２４２により計時されている現在時刻を示す時刻情報を生成し、当該時刻情報をプロジェクタ３に送信する（ステップＳ１３）。
この後、ＰＣ２は、画像／音声送信プログラムを起動して、画像生成部２４４及び音声生成部２４５による画像データ及び音声データの生成（ステップＳ１４）、並びに、当該各データに基づくパケットの生成及び送信（ステップＳ１５）を繰り返し実行する。
【００３５】
時刻情報の要求信号を送信したプロジェクタ３では、ステップＳ２２の後、時刻取得手段３３が、ＰＣ２から入力される時刻情報を取得する（ステップＳ２３）。
この後、時刻設定手段３４が、取得された時刻情報が示す現在時刻を、計時手段３５による計時の起点時刻に設定する（ステップＳ２４）。
そして、計時手段３５が、設定された起点時刻からの計時を開始し（ステップＳ２５）、これにより、プロジェクタ３内にて現在時刻が計時される。
【００３６】
次に、動作制御手段４０が、計時手段３５により計時される現在時刻が、前述の深夜の時間帯に含まれるか否かを判定する（ステップＳ２６）。ここで、動作制御手段４０は、現在時刻が深夜の時間帯に含まれないと判定すると、処理をステップＳ２８に移行する。
また、動作制御手段４０が、現在時刻が深夜の時間帯に含まれると判定すると、当該動作制御手段４０は、使用者による解除処理が行われたか否かを判定する（ステップＳ２７）。ここで、動作制御手段４０が、解除処理は行われていないと判定した場合には、当該解除処理が行われるまで、ステップＳ２７の判定処理を繰り返し実行する。一方、動作制御手段４０が、解除処理が行われたと判定した場合には、当該動作制御手段４０は、処理をステップＳ２８に移行する。
【００３７】
ステップＳ２８では、動作制御手段４０が、現在時刻に応じた駆動情報を、記憶手段４１から取得し、当該駆動情報に応じたプロジェクタ３の動作制御を行う（ステップＳ２８）。例えば、動作制御手段４０は、前述のように、現在時刻に応じた光源装置３７１の初期状態の発光輝度を設定することで、表示される画像の輝度を調整するほか、音声出力手段３９によって出力される音声の初期状態の音量を設定する。
【００３８】
そして、画像処理手段３６及び音声処理手段３８が、ＰＣ２から入力されるパケットからの画像データ及び音声データの復元処理等を行い、当該画像データ及び音声データに応じた画像表示及び音声出力を、画像形成手段３７及び音声出力手段３９により行う（ステップＳ２９）。このステップＳ２９の処理は、プロジェクタ３の電源がオフされるか、或いは、画像データ及び音声データの入力ソースの切替が行われるまで、繰り返し実行される。
【００３９】
以上説明した本実施形態の表示システム１によれば、以下の効果がある。
（１）プロジェクタ３では、時刻取得手段３３により取得された時刻情報に基づいて、時刻設定手段３４が、計時手段３５による計時の起点時刻に現在時刻を設定し、当該計時手段３５が設定された起点時刻からの計時を行う。これによれば、プロジェクタ３の使用時に、現在時刻の取得及び計時が行われるので、使用しないときに現在時刻を保持させるための電池等の内部電源を、当該プロジェクタ３に設ける必要がない。また、これら時刻取得手段３３、時刻設定手段３４及び計時手段３５は、時刻取得プログラムが実行されることによって実現される機能部である。従って、プロジェクタ３の部品点数及び当該プロジェクタ３の検査項目が増加することなく、使用時にプロジェクタ３に時刻情報を保持させることができる。
【００４０】
また、動作制御手段４０は、前述の深夜の時間帯では、パスワード入力等の解除操作が行われない限り、プロジェクタ３による画像表示及び音声出力を規制する。これによれば、当該時間帯でのプロジェクタ３の使用を制限することができ、当該プロジェクタ３の盗難の抑止を図ることができる。
【００４１】
更に、動作制御手段４０は、昼間の時間帯では、記憶手段４１に記憶された駆動情報に基づいて、光源装置３７１の初期状態の発光輝度、及び、音声出力手段３９の初期状態の音量を高く設定する。これによれば、環境光が強く環境音が大きい昼間の時間帯でも、使用者が表示設定を変更することなく、表示された画像を見やすくすることができるとともに、出力された音声を聞き取りやすくすることができる。
加えて、動作制御手段４０は、夜間の時間帯では、当該駆動情報に基づいて、光源装置３７１の初期状態の発光輝度、及び、音声出力手段３９の初期状態の音量を、昼間の時間帯での使用時よりも低く設定する。これによれば、環境光が弱く環境音が小さい夜間の時間帯での使用時に、眩しく感じさせることを防ぎ、表示された画像を見やすくすることができるとともに、煩わしく感じさせることを防ぎ、出力された音声を聞き取りやすくすることができる。更に、この夜間の使用状態では、プロジェクタ３の消費電力の低減を図ることができる。
従って、使用環境に適したプロジェクタ３の駆動を実現することができる。
【００４２】
（２）プロジェクタ３とＰＣ２とは、ＵＳＢ接続で接続されるので、当該プロジェクタ３とＰＣ２との物理的な接続を簡易に行うことができる。また、このようなＵＳＢ接続では、プロジェクタ３及びＰＣ２は、互いを一対一で認識するので、それぞれがＬＡＮ（Local Area Network）等のネットワーク接続により接続される場合に比べ、内部的な接続の確立を容易に行うことができる。
【００４３】
（３）プロジェクタ３が時刻情報を取得する対象である外部機器は、当該プロジェクタ３に画像データ及び音声データを送信する画像供給装置としてのＰＣ２である。これによれば、プロジェクタ３が時刻情報を取得するために、当該プロジェクタ３をＰＣ２以外の外部機器に接続する必要がない。従って、プロジェクタ３が、ＰＣ２から画像データ、音声データ及び時刻情報をそれぞれ取得することができるので、表示システム１の構成を簡略化することができる。また、プロジェクタ３が他の外部機器との接続を確立する必要がないので、プロジェクタ３が一層簡易に時刻情報を取得することができる。
【００４４】
（４）時刻取得手段３３による時刻情報の取得は、接続確立手段３２によるＰＣ２との接続確立時に行われる。すなわち、当該時刻情報の取得は、ＰＣ２からの画像データ及び音声データの入力に先立って行われる。これによれば、ＰＣ２に接続するだけで、プロジェクタ３は時刻情報を取得することができる。また、入力される画像データ及び音声データに基づく画像表示及び音声出力時には、計時手段３５による現在時刻の計時が行われていることとなるので、プレゼンテーションの前に時刻を表示することが可能となるほか、前述の使用制限及び表示設定を確実に行うことができる。
【００４５】
〔実施形態の変形〕
本発明は、前述の実施形態に限定されるものではなく、本発明の目的を達成できる範囲での変形、改良等は本発明に含まれるものである。
前記実施形態では、プロジェクタ３とＰＣ２とは、ＵＳＢ接続されているとしたが、本発明はこれに限らず、ＬＡＮ等のネットワーク接続により接続されていてもよい。
また、プロジェクタ３の時刻取得手段３３は、画像供給装置としてのＰＣ２から時刻情報を取得するとしたが、本発明はこれに限らず、当該プロジェクタ３にＵＳＢ接続又はＬＡＮ接続等により接続されたＰＣ２以外の機器（例えば、サーバ等）から時刻情報を取得するようにしてもよい。
【００４６】
前記実施形態では、時刻取得手段３３は、プロジェクタ３とＰＣ２との間の接続が確立された際に、当該ＰＣ２から時刻情報を取得するとしたが、本発明はこれに限らず、入力される画像データ及び音声データに基づく画像表示及び音声出力の合間に、ＰＣ２から取得するようにしてもよい。
前記実施形態では、時刻取得手段３３は、要求信号をＰＣ２に送信し、当該要求信号に応じて送信される時刻情報を取得するとしたが、本発明はこれに限らず、ＰＣ２から送信されたパケットのヘッダ情報に含まれる時刻情報を、現在時刻を示す時刻情報として取得するように構成してもよい。
【００４７】
前記実施形態では、計時手段３５により計時される現在時刻に基づいて、使用制限及び動作制御を行うとしたが、本発明は上述したプロジェクタ３の使用設定だけに限らない。例えば、動作制御手段４０が、プロジェクタ３を画像表示及び音声出力を行わない省電力モードに設定するモード設定部と、起動時刻に達すると省電力モードから、画像表示及び音声出力を行う通常モードに切り替えるタイマ部とを備え、当該起動時刻を設定した上で、当該プロジェクタ３を外部電源に接続しておくように構成してもよい。このように構成では、プロジェクタ３をタイマ起動させることができる。
【００４８】
前記実施形態では、光変調装置として液晶パネルを備えたプロジェクタ３を例示したが、入射光束を画像情報に応じて変調して光学像を形成する光変調装置であれば、他の構成の光変調装置を採用してもよい。例えば、マイクロミラーを用いたデバイスなど、液晶以外の光変調装置を用いたプロジェクタに、本発明を適用することも可能である。
【００４９】
前記実施形態では、画像供給装置として、ＰＣ２を用いたが、本発明はこれに限らず、時刻情報を有するビデオ機器や、ＤＶＤ／レコーダ等の他の画像供給装置をプロジェクタ３に接続してもよい。すなわち、プロジェクタ３に対して、時刻情報を送信可能な画像供給装置であれば、他の機器でもよい。
【産業上の利用可能性】
【００５０】
本発明は、プロジェクタに好適に利用することができる。
【図面の簡単な説明】
【００５１】
【図１】本発明の一実施形態に係る表示システムの構成を示すブロック図。
【図２】前記実施形態における表示システムの処理を示すフローチャート。
【符号の説明】
【００５２】
２…ＰＣ（画像供給装置）、３…プロジェクタ、３１…ＵＳＢ端子、３３…時刻取得手段、３４…時刻設定手段、３５…計時手段。
【図１】
2009213015.tif 000003
【図２】
2009213015.tif 000004